(57)【要約】本発明は、多機能ケーブルとこれを用いた釣り装備及び水中映像撮影システムに関するもので、本発明による多機能ケーブルは、それぞれ内部被膜層が形成された電源供給線と、映像信号線と、音響、超音波、温度または制御信号を伝達するための一つ以上の制御線とを備えており、前記各線の外部を柔軟性及び耐久性のモールディング樹脂または繊維で充填し、その外部に再び耐摩耗性の外部被膜層を形成したことを特徴とする。一方、本発明による映像システムを備えた釣り装備及び水中映像撮影システムは、前記本発明による多機能ケーブルを用いたもので、水中の撮影部及び水の外の外部装置部を構成する各装置が互いに前記多機能ケーブルにより連結される。
2005528774.tif 000002
【特許請求の範囲】
【請求項１】
それぞれ内部被膜層が形成された電源供給線と、映像信号線と、音響、超音波、温度または制御信号を伝達するための一つ以上の制御線と、を備えており、前記各線の外部を柔軟性及び耐久性のモールディング樹脂及び繊維によりモールディングまたは充填し、その外部に再び耐摩耗性の外部被膜層を形成したことを特徴とする多機能ケーブル。
【請求項２】
前記電源供給線として錫メッキ銅線を、その内部被膜層の材質としてポリエチレンまたはポリプロピレンを使用し、前記映像信号線及び制御線の内部線として銀メッキ銅線を、その外部線として錫メッキ銅線を、その内部被膜層の材質としてテフロンを使用し、前記モールディング樹脂としてケブラーまたはカーボン樹脂を、前記耐摩耗性の外部被膜層の材質としてポリエチレンまたはポリプロピレンをそれぞれ使用したことを特徴とする請求項１記載の多機能ケーブル。
【請求項３】
前記電源供給線の直径と前記映像信号線及び制御線の直径とは、相異なるように適用したことを特徴とする請求項１記載の多機能ケーブル。
【請求項４】
前記電源供給線の直径は０.３０６mm、前記映像信号線及び制御線の直径は０.１２mm、多機能ケーブルの全体直径は１.５mm以下であることを特徴とする請求項３記載の多機能ケーブル。
【請求項５】
それぞれ内部被膜層が形成された電源供給線及び映像信号線の外部を柔軟性及び耐久性のモールディング樹脂または繊維によりモールディングまたは充填し、その外部に再び耐摩耗性の外部被膜層を形成したことを特徴とする多機能ケーブル。
【請求項６】
前記電源供給線として錫メッキ銅線を、その内部被膜層の材質としてポリエチレンまたはポリプロピレンを使用し、前記映像信号線の内部線として銀メッキ銅線を、その外部線として錫メッキ銅線を、その内部被膜層の材質として「テフロン」（登録商標）を使用し、前記モールディング樹脂としてケブラーまたはカーボン樹脂を、前記外部被膜層の材質としてポリエチレンまたはポリプロピレンをそれぞれ使用したことを特徴とする請求項５記載の多機能ケーブル。
【請求項７】
請求項１乃至請求項６のうちいずれか一つに記載の多機能ケーブルと、
前記多機能ケーブルの一端に連結され、カメラが内蔵されるとともに、超音波検知装置、デジタル温度センサ、水中マイク、圧力センサ、振動モータ、地磁気センサまたはカメラ角度調節具のうちいずれか一つ以上の制御装置が内蔵され、釣針の結束リングが形成された重さ錘と、前記多機能ケーブル上の一地点に付着される浮力調節用浮きとを備えた撮影部と、
前記多機能ケーブルを通して映像信号を含む撮影部からの各種信号を有線方式で受信して表示するディスプレイパネルと、前記多機能ケーブルを通して有線方式で制御装置と連結されて制御信号の送受信により前記制御装置を制御するコントローラと、前記撮影部、ディスプレイパネル及びコントローラに電源を供給するための電源供給手段とを備えた前記多機能ケーブルの他端に連結される外部装置部とを含んで構成されたことを特徴とする映像システムを備えた釣り装備。
【請求項８】
カメラが内蔵されるとともに、超音波検知装置、デジタル温度センサ、水中マイク、圧力センサ、振動モータ、地磁気センサまたはカメラ角度調節具のうちいずれか一つ以上の制御装置が内蔵され、釣針の結束リングが形成された重さ錘と、請求項１乃至請求項６のうち何れか一つに記載の多機能ケーブルにより前記重さ錘と連結され、電源供給手段を備えた第１無線送受信回路が内蔵された送信用浮きとを備えた撮影部と、
前記第１無線送受信回路と無線方式で信号を送受信するための第２無線送受信回路と、前記第２無線送受信回路と連結され、前記第２無線送受信回路を通して受信された映像信号を含む撮影部からの各種信号を表示するディスプレイパネルと、前記第２無線送受信回路と連設され、前記第２無線送受信回路を通して無線方式で制御信号を送受信して前記制御装置を制御するコントローラと、前記第２無線送受信回路、ディスプレイパネル及びコントローラに電源を供給するための電源供給手段とを備えた外部装置部とを含んで構成されたことを特徴とする映像システムを備えた釣り装備。
【請求項９】
請求項１乃至請求項６のうちいずれか一つに記載の多機能ケーブルと、
前記多機能ケーブルの一端に連結され、カメラが内蔵されるとともに、超音波検知装置、デジタル温度センサ、水中マイク、圧力センサ、振動モータ、地磁気センサまたはカメラ角度調節具のうちいずれか一つ以上の制御装置が内蔵され、釣針の結束リングが形成された重さ錘と、前記多機能ケーブル上の一地点に付着される浮力調節用浮きとを備えた撮影部と、
前記多機能ケーブルの他端に連結され、電源供給手段を備えた第１無線送受信回路が内蔵された水の外の一地点に定置される無線送受信機と、
前記第１無線送受信回路と無線方式で信号を送受信するための第２無線送受信回路と、前記第２無線送受信回路と連結され、前記第２無線送受信回路を通して受信された映像信号を含む撮影部からの各種信号を表示するディスプレイパネルと、前記第２無線送受信回路と連結され、前記第２無線送受信回路を通して無線方式で制御信号を送受信して前記制御装置を制御し、前記ディスプレイパネルを制御するコントローラと、前記第２無線送受信回路、ディスプレイパネル及びコントローラに電源を供給するための電源供給手段とを備えた外部装置部とを含んで構成されたことを特徴とする映像システムを備えた釣り装備。
【請求項１０】
前記無線送受信機は、釣り竿の取っ手側の一地点に固定されることを特徴とする請求項９記載の映像システムを備えた釣り装備。
【請求項１１】
釣り竿の先端部及び末端部に前記多機能ケーブルが通過される流入孔及び排出孔をそれぞれ形成することで、多機能ケーブルが釣り竿の内部を通過するように構成された釣り竿をさらに備えたことを特徴とする請求項７または請求項９記載の映像システムを備えた釣り装備。
【請求項１２】
前記撮影部の重さ錘と浮きとの間の多機能ケーブルを切断してこれらを連結するコネクターを設置することで、使用者の必要に応じて重さ錘を容易に交替することを特徴とする請求項７乃至請求項９のうちいずれか一つに記載の映像システムを備えた釣り装備。
【請求項１３】
前記撮影部の重さ錘は、外部ケースがルアー形態からなり、ルアーの内部にカメラが内蔵されたことを特徴とする請求項７乃至請求項９のうちいずれか一つに記載の映像システムを備えた釣り装備。
【請求項１４】
前記重さ錘は、両分されたケース構造であり、その一側にヒンジを備え、他側に固定フランジを備えることで、固定ボルトを通した結合及び分解を可能にしたことを特徴とする請求項７乃至請求項９のうちいずれか一つに記載の映像システムを備えた釣り装備。
【請求項１５】
前記重さ錘は、下部が高比重の物質で充填され、中間部にカメラ及び制御装置が内設され、上部に空隙が形成されることで、比重差により重さ錘が水中で常に安定的に起立するように構成されたことを特徴とする請求項７乃至請求項９のうちいずれか一つに記載の映像システムを備えた釣り装備。
【請求項１６】
前記重さ錘上に所定長さのフレキシブル管または細いワイヤーを備えることで、釣針の位置調節及びカメラ照射角の調節を可能にしたことを特徴とする請求項７乃至請求項９のうちいずれか一つに記載の映像システムを備えた釣り装備。
【請求項１７】
前記カメラ角度調節具は、重さ錘の内部に設置された回動モータにより駆動されるゲート状又はＣ型形状の固定具を、前記重さ錘の上部のケース両側に各末端が位置するように着設し、前記外部装置のコントローラにより前記回動モータの回動方向を制御することで、前記固定具の駆動により上下左右にカメラ角度を調節するように構成されたことを特徴とする請求項７乃至請求項９のうちいずれか一つに記載の映像システムを備えた釣り装備。
【請求項１８】
前記多機能ケーブルにより連設された送信用浮きまたは浮力調節用浮きと重さ錘との間に水中浮きをさらに備え、重さ錘の下部に一つ以上のリングを形成して補強錘を備えることで、水中での重さ錘の搖動を防止して重さ錘の比重を適切に調節することを特徴とする請求項７乃至請求項９のうちいずれか一つに記載の映像システムを備えた釣り装備。
【請求項１９】
前記外部装置部のディスプレイパネル、コントローラ及び電源供給手段は、電源供給手段、ディスプレイ手段、入力手段、動映像保存システム及び制御手段を有する公知の携帯電話に前記多機能ケーブルの末端と有線で連結するためのコネクターが付加されるか、または、前記撮影部の送信用浮きまたは無線送受信機と無線で映像信号などを送受信する無線送受信回路が内蔵されて構成されることを特徴とする請求項７乃至請求項９のうちいずれか一つに記載の映像システムを備えた釣り装備。
【請求項２０】
請求項１乃至請求項６のうちいずれか一つに記載の多機能ケーブルと、
前記多機能ケーブルの一端に連結され、カメラが内蔵されるとともに、超音波検知装置、デジタル温度センサ、水中マイク、圧力センサ、地磁気センサまたはカメラ角度調節具のうちいずれか一つ以上の制御装置が内蔵されたカメラ装置と、水面に浮揚されて入水者の位置を表示するように前記多機能ケーブル上の一地点に付着される浮標と、入水の深さによって前記浮標とカメラ装置との間のケーブルの長さを調節する巻取りリールとを備えた撮影部と、
前記多機能ケーブルを通して映像信号を含む撮影部からの各種信号を有線方式で受信して表示するディスプレイパネルと、前記多機能ケーブルを通して有線方式で制御装置と連結され、制御信号の送受信により前記制御装置を制御するコントローラと、前記撮影部、ディスプレイパネル及びコントローラに電源を供給するための電源供給手段とを備えた前記多機能ケーブルの他端に連結される外部装置部とを含んで構成されたことを特徴とする水中映像撮影システム。
【請求項２１】
カメラが内蔵されるとともに、超音波検知装置、デジタル温度センサ、水中マイク、圧力センサ、地磁気センサまたはカメラ角度調節具のうちいずれか一つ以上の制御装置が内蔵されたカメラ装置と、請求項１乃至請求項６のうちいずれか一つに記載の多機能ケーブルにより前記カメラ装置と連結されて第１無線送受信回路が内蔵された浮標と、入水の深さによって前記浮標とカメラ装置との間のケーブルの長さを調節するための巻取りリールとを備えた撮影部と、
前記第１無線送受信回路と無線方式で信号を送受信するための第２無線送受信回路と、前記第２無線送受信回路と連設され、前記第２無線送受信回路を通して受信された映像信号を含む撮影部からの各種信号を表示するディスプレイパネルと、前記第２無線送受信回路と連設され、前記第２無線送受信回路を通して無線方式で制御信号を送受信して前記制御装置を制御するコントローラと、前記第２無線送受信回路、ディスプレイパネル及びコントローラに電源を供給するための電源供給手段とを備えた外部装置部とを含んで構成されたことを特徴とする水中映像撮影システム。
【請求項２２】
前記カメラ装置の外部ケースには、先端及び末端が開放されてそれらの間に一つ以上の屈曲部が形成されたケースと、前記ケースの前記屈曲部に設置された回動ヒンジと、前記ケース内に進入された光を所定角度に反射するように前記屈曲部に配置された反射鏡とから構成された二眼リフレックスを備えたことを特徴とする請求項２０または請求項２１記載の水中映像撮影システム。
【請求項２３】
前記カメラ角度調節具は、重さ錘の内部に設置された回動モータにより駆動されるゲート状又はＣ型形状の固定具を、前記重さ錘の上部のケース両側に各末端が位置するように着設し、前記外部装置部のコントローラにより前記回動モータの回動方向を制御することで、前記固定具の駆動により上下左右にカメラ角度を調節するように構成されたことを特徴とする請求項２０または請求項２１記載の水中映像撮影システム。
【請求項２４】
前記外部装置部のディスプレイパネル、コントローラ及び電源供給手段は、電源供給手段、ディスプレイ手段、入力手段及び制御手段を有する公知の携帯電話に前記多機能ケーブルの末端と有線で連結するためのコネクターが付加されるか、または、前記撮影部の浮標に内蔵された無線送受信回路と無線で映像信号などを送受信する無線送受信回路が内蔵されて構成されることを特徴とする請求項２０または請求項２１記載の水中映像撮影システム。
【発明の詳細な説明】
【技術分野】
【０００１】
本発明は、多機能ケーブルとこれを用いた釣り装備及び水中映像撮影システムに関するもので、詳しくは、各種機能の超極細線が内蔵された機能性及び耐久性を兼ね備える多機能ケーブルとこれを用いた釣り装備及び水中映像撮影システムに関するものである。
【背景技術】
【０００２】
最近、釣り装備に映像システムを備えることで、水中の環境を外部で観察しながら釣りを楽しめる各種の釣り装備や水中映像撮影システムが開発されている。
【０００３】
例えば、大韓民国特許公報第１９８８−７６８６７号には、水中のビデオカメラにより写った映像信号を電線を通して外部のディスプレイ部に送信し、外部でこの映像信号を見ながら釣りをするように構成された釣り装備が開示されている。
【発明の開示】
【発明が解決しようとする課題】
【０００４】
しかしながら、前記技術を始めとする多様な試みが実用化されておらず、水中の状況を見ながら釣りを楽しむことは未だに現実化されていない。
【０００５】
それは、映像システムを備えた釣り装備を始めとする水中映像撮影及び外部送出には、水中で撮影した映像信号などが外部に送信され、この信号が受信されてディスプレイ装置に表示されるような、映像信号の送受信のための経路が必要であるが、従来の釣り糸ではこのような機能を行えないだけでなく、一般的な電線も使用できないためである。
【０００６】
すなわち、水中映像撮影システムを備えた釣り装備を構成するための線は、釣り糸のように細いうえに、よく切られない柔軟性を兼ね備えるとともに、映像信号を始めとする各種の信号を送受信すべきである。
【０００７】
本発明は、上述したように、釣り糸として要求される細くて柔軟な性質及び耐久性を兼ね備えつつ、電流及び映像信号などの送受信が可能なケーブルを提供し、これを用いて水中環境の撮影及び効果的な釣魚が可能な、映像システムを備えた釣り装備及び水中映像撮影システムを提供することを目的とする。
【課題を解決するための手段】
【０００８】
前記目的を達成するために、本明による多機能ケーブルは、それぞれ内部被膜層が形成された電源供給線と、映像信号線及び、音響、超音波、温度または制御信号を伝達するための一つ以上の制御線と、を備えており、前記各線の外部は柔軟性及び耐久性のモールディング樹脂または繊維によりモールディングまたは充填し、その外部に再び耐摩耗性の外部被膜層が形成されたことを特徴とする。
【０００９】
また、前記制御線は、音響、温度、制御信号などを伝達するためのもので、用途に応じて複数個備えることができ、映像信号のみを伝送し、別途の制御信号を伝達する必要がない場合のように、使用目的に応じて制御線のない形態の多機能ケーブルでも目的を充分に達成できるので、前記構造において、制御線のない形態の多機能ケーブルも使用可能である。
【００１０】
一方、本発明による映像システムを備えた釣り装備及び水中映像撮影システムは、全て前記本発明による多機能ケーブルを用いたことを特徴とする。
【００１１】
まず、本発明による映像システムを備えた釣り装備の第１形態は、前記本発明による多機能ケーブルと、前記多機能ケーブルの一端に連結され、カメラが内蔵されるとともに、超音波検知装置、デジタル温度センサ、水中マイク、圧力センサ、振動モータ、地磁気センサまたはカメラ角度調節具のうちいずれか一つ以上の制御装置が内蔵され、釣針の結束リングが形成された重さ錘と、前記多機能ケーブル上の一地点に付着される浮力調節用浮きとを備えた撮影部と、前記多機能ケーブルを通して映像信号を含む撮影部からの各種信号を有線方式で受信して表示するディスプレイパネルと、前記多機能ケーブルを通して有線方式で制御装置と連結され、制御信号の送受信により前記制御装置を制御するコントローラと、前記撮影部、ディスプレイパネル及びコントローラに電源を供給するための電源供給手段とを備えた前記多機能ケーブルの他端に連結された外部装置部とを含んで構成されることを特徴とする。
【００１２】
また、本発明による映像システムを備えた釣り装備の第２形態は、カメラが内蔵されるとともに、超音波検知装置、デジタル温度センサ、水中マイク、圧力センサ、振動モータ、地磁気センサまたはカメラ角度調節具のうちいずれか一つ以上の制御装置が内蔵され、釣針の結束リングが形成された重さ錘と、前記本発明による多機能ケーブルにより前記重さ錘と連結され、電源供給手段を備えた第１無線送受信回路が内蔵された送信用浮きとを含む撮影部と、前記第１無線送受信回路と無線方式で信号を送受信するための第２無線送受信回路と、前記第２無線送受信回路と連結され、前記第２無線送受信回路を通して受信された映像信号を含む撮影部からの各種信号を表示するディスプレイパネルと、前記第２無線送受信回路と連結されて前記制御装置を制御するコントローラと、前記第２無線送受信回路、ディスプレイパネル及びコントローラに電源を供給するための電源供給手段とを備えた外部装置部とを含んで構成されることを特徴とする。
【００１３】
また、本発明による映像システムを備えた釣り装備の第３形態は、前記本発明による多機能ケーブルと、前記多機能ケーブルの一端に連結され、カメラが内蔵されるとともに、超音波検知装置、デジタル温度センサ、水中マイク、圧力センサ、振動モータ、地磁気センサまたはカメラ角度調節具のうちいずれか一つ以上の制御装置が内蔵され、釣針の結束リングが形成された重さ錘と、前記多機能ケーブル上の一地点に連結される浮力調節用浮きとを備えた撮影部と、前記多機能ケーブルの他端に連結され、電源供給手段を備えた第１無線送受信回路が内蔵された水の外の一地点に定置される無線送受信機と、前記第１無線送受信回路と無線方式で信号を送受信するための第２無線送受信回路と、前記第２無線送受信回路と連結され、前記第２無線送受信回路を通して受信された映像信号を含む撮影部からの各種信号を表示するディスプレイパネルと、前記第２無線送受信回路と連結され、前記第２無線送受信回路を通して無線方式で制御信号を送受信して前記制御装置を制御し、前記ディスプレイパネルを制御するコントローラと、前記第２無線送受信回路、ディスプレイパネル及びコントローラに電源を供給するための電源供給手段とを備えた外部装置部とを含んで構成されたことを特徴とする。
【００１４】
特に、前記各実施形態における超音波検知装置、デジタル温度センサ、水中マイク、圧力センサ、振動モータまたはカメラ角度調節具のような制御装置は、前記各装置のうちいずれか一つの装置を選択して付着することもでき、２種類以上の制御装置を選択してこれらの全てを付着することもできる。
【００１５】
前記本発明の各形態による映像システムを備えた釣り装備において、前記重さ錘の好ましい形態には、両分されたケース構造及び公知のルアー形態が挙げられるが、前記両分されたケース構造は、その一側にヒンジを備え、他側に固定フランジを備えることで、固定ボルトを通した結合及び分解を可能にしたものである。
【００１６】
また、重さ錘の形態がルアー形態であるか、または両分されたケース構造であるかに関係なく、前記重さ錘は、下部が高比重の物質により充填され、中間部にカメラ及び制御装置が内設され、上部に空隙が形成されることで、比重差異により重さ錘が水中で常に安定的に起立されることができるようにすることが好ましい。
【００１７】
ここで、より好ましくは、前記多機能ケーブルにより連設された送信用浮きまたは浮力調節用浮きと重さ錘との間に水中浮きをさらに備え、重さ錘の下部に一つ以上のリングを形成して補強錘を備えることで、水中での重さ錘の揺動を防止する一方、重さ錘の比重を適切に調節することもできる。
【００１８】
一方、前記重さ錘上には、所定長さのフレキシブル管または細いワイヤーを備えることで、釣針の位置調節及びカメラ照射角の調節を可能にすることが好ましい。
【００１９】
また、前記映像システムを備えた釣り装備におけるカメラ角度調節具の形態としては、重さ錘の内部に設置された回動モータにより駆動されるゲート状又はＣ型形状の固定具を、前記重さ錘の上部のケース両側に各末端が位置するように着設し、前記外部装置部のコントローラにより前記回動モータの回動方向を制御することで、前記固定具の駆動により上下左右にカメラ角度を調節するようにしたことができる。
【００２０】
一方、前記各実施形態において、前記撮影部の重さ錘と浮きとの間の多機能ケーブルを切断してこれらを連結するコネクターを設置することで、使用者の必要に応じて多様な形態の撮影部の重さ錘を交替しながら使用することが好ましい。
【００２１】
一方、本発明の一実施形態による水中映像撮影システムは、前記本発明の一実施形態による多機能ケーブルと、前記多機能ケーブルの一端に連結され、カメラが内蔵されるとともに、超音波検知装置、デジタル温度センサ、水中マイク、圧力センサ、地磁気センサまたはカメラ角度調節具のうちいずれか一つ以上の制御装置が内蔵されたカメラ装置と、水面に浮揚されて入水者の位置を表示するように前記多機能ケーブル上の一地点に付着される浮標と、入水の深さによって前記浮標とカメラ装置との間のケーブルの長さを調節するための巻取りリールとを備えた撮影部と、前記多機能ケーブルを通して映像信号を含む撮影部からの各種信号を有線方式で受信して表示するディスプレイパネルと、前記多機能ケーブルを通して有線方式で制御装置と連結され、制御信号の送受信により前記制御装置を制御するコントローラと、前記撮影部、ディスプレイパネル及びコントローラに電源を供給するための電源供給手段とを備えた前記多機能ケーブルの他端に連結される外部装置部とを含んで構成されることを特徴とする。
【００２２】
本発明の他の実施形態による水中映像撮影システムは、カメラが内蔵されるとともに、超音波検知装置、デジタル温度センサ、水中マイク、圧力センサ、地磁気センサまたはカメラ角度調節具のうちいずれか一つ以上の制御装置が内蔵されたカメラ装置と、前記本発明一実施形態による多機能ケーブルにより前記カメラ装置と連結され、第１無線送受信回路が内蔵された浮標と、入水の深さによって前記浮標とカメラ装置との間のケーブルの長さを調節するための巻取りリールとを備えた撮影部と、前記第１無線送受信回路と無線方式で信号を送受信するための第２無線送受信回路と、前記第２無線送受信回路と連結され、前記第２無線送受信回路を通して受信された映像信号を含む撮影部からの各種信号を表示するディスプレイパネルと、前記第２無線送受信回路と連結され、前記第２無線送受信回路を通して無線方式で制御信号を送受信して前記制御装置を制御するコントローラと、前記第２無線送受信回路、ディスプレイパネル及びコントローラに電源を供給するための電源供給手段とを備えた外部装置部とを含んで構成されたことを特徴とする。
【００２３】
前記水中映像撮影システムにおいて、好ましくは、前記カメラ装置の外部ケースに、先端と末端が開放されて一つ以上の屈曲部が形成されたケースと、前記ケースの前記屈曲部に設置された回動ヒンジと、前記ケース内に進入された光を所定角度に反射するように、前記屈曲部に配置された反射鏡とから構成された二眼リフレックスを備える。
【００２４】
前記水中映像撮影システムにおけるカメラ角度調節具も、前記本発明による映像システムを備えた釣り装備と同一の形態で構成することができ、このように角度調節具を備える場合、入水者が水中の一地点にカメラ装置を定置しておき、外部に出た後、長時間にわたって周囲の環境を観察することができる。
【発明の効果】
【００２５】
本発明による多機能ケーブルは、ケーブルの内部に映像装置及び制御装置に必要な電力、映像信号及び制御信号を伝達する柔軟性及び耐久性を兼ね備える超極細の電線により構成されており、従来の電線が容易に短絡されるか、魚により容易に識別されるという問題を防止するので、映像システムを備えた釣り装備などの多様な形態の水中映像撮影システムに有用に用いられる。
【００２６】
また、本発明による映像システムを備えた釣り装備及び水中映像撮影システムによると、より効率的な釣り及び長時間にわたる水中映像撮影が可能なだけでなく、魚類の採取のための魚群集の移動、水深・水温の測定、水中音響の聴取が可能である。
【００２７】
特に、前記水中映像撮影システムは、低価に製作可能であるため、従来の高価で重みがある製品を代替することと期待され、外部で水中映像を実時間で直接観測するため、水中で発生する可能性のある各種の安全事故を未然に防止するだけでなく、入水者が水中で感じる恐れを緩和することもできる。
【発明を実施するための最良の形態】
【００２８】
以下、添付図面を参照しつつ本発明の好ましい実施形態を詳細に説明する。
図１は、本発明による多機能ケーブルの断面構造図であり、図１に示すように、本発明による多機能ケーブル１０は、内部に電流を導通させる二本の電源供給線１１、映像信号を伝送する映像信号線１２及び制御信号を伝送する制御線１３を備えており、前記各線の外部には内部被膜層１１ｃ，１２ｄ，１３ｄが形成され、これら内部被膜層が形成された各線は安定的な形態で配列され、その外部は柔軟性及び耐久性に優れたモールディング樹脂１４によりモールディングされ、その外部に再び耐摩耗性の外部被膜層１５が形成される。
【００２９】
前記映像信号線１２及び制御線１３は、内線１２ａ，１３ａ及び外線１２ｂ，１３ｂを備え、それらの間に絶縁層１２ｃ、１３ｃを形成するが、前記電源供給線１１は、前記映像信号線１２及び制御線１３とは異なって、内線１１ａ及び外線１１ｂをそれぞれ形成し、それらの間に絶縁層を形成しない。
【００３０】
また、図１に示すように、電源供給線１１、映像信号線１２及び制御線１３の直経を相異なるように適用すると、前記多機能ケーブル１０内部の電源供給線１１、映像信号線１２及び制御線１３の相互のねじり現象を防止することができる。
【００３１】
かかる多機能ケーブル１０は、釣り糸のように軽くて丈夫な特性と、電流及び信号を送受信する電線の特性とを同時に兼ね備えるべきである。以下、表１には、高画質用ＣＣＤの標準仕様であるＤＣ  １２Ｖ、２５０ｍＡ用に最も適した、前記多機能ケーブルの諸元を示す仕様を整理して示した。
【００３２】
【表１】
2005528774.tif 000003
【００３３】
前記表１に示すように、本発明の好ましい実施形態に提示される多機能ケーブルの材質として、前記電源供給線１１には錫メッキ銅線を、映像信号線１２及び制御線１３の内線１２ａ，１３ａには銀メッキ銅線を、外線１２ｂ，１３ｂには錫メッキ銅材質の線を使用し、前記内線１２ａ，１３ａと外線１２ｂ，１３ｂとの間には、「テフロン」（登録商標・・・四フッ化エチレン樹脂）材質の絶縁層１２ｃ，１３ｃを形成する。
【００３４】
このように構成された電源供給線１１は、ポリエチレン(ＰＥ)またはポリプロピレン(ＰＰ)材質を使用し、映像信号線１２及び制御線１３は、テフロンを使用してその表面に内部被膜層を形成して絶縁及び剛性を補完する。
【００３５】
これら電源供給線１１、映像信号線１２及び制御線１３は、柔軟性及び耐久性に優れたモールディング樹脂１４であるケブラー繊維またはカーボン樹脂のように柔軟性を有するとともに、引張特性及び耐久性に優れた素材により一体化するか、または、前記各線の間の空間を充填した後、耐摩耗性及び柔軟性材質のポリエチレン樹脂またはポリプロピレン樹脂を使用して外部被膜層１５を形成する。
【００３６】
このような形態及び材質の構成により、電源供給線１１は０.３０６mm、映像信号線１２及び制御線１３は０.１２mm、本発明の多機能ケーブル１０の全体直径である外部被膜層１５は１.５mmの直径を備えるとともに、電線の特性、釣り糸に対応する充分な柔軟性及び耐久性を兼ね備えるようになる。
【００３７】
一方、上述したように、前記映像信号線及び制御線は、適用する装置の用途に応じてその個数及び寸法の増減が可能であり、このような形態の変形も、本発明の技術範囲と見なしている。
【００３８】
以下、本発明による映像システムを備えた釣り装備の構成を示した図２乃至図６の(ａ)、(ｂ)に基づいて、本発明による映像システムを備えた釣り装備の好ましい実施形態を説明する。
【００３９】
本発明による映像システムを備えた釣り装備は、図２乃至図６(ａ)、(ｂ)に示すように、カメラ２２０及び制御装置２１３を含む重さ錘２１０と、浮き２３０とから構成されて水中の環境を撮影する撮影部２００と、ディスプレイパネル１１０、コントローラ１２０及び電源供給手段１３０により構成され、前記撮影部２００で撮影された映像を表示して前記制御装置２１３を制御する外部装置部１００と、これらを構成する各装置の間を連結する多機能ケーブル１０とから構成される。
【００４０】
ここで、図４(ｂ)に示すように、前記撮影部２００の重さ錘２１０と浮き２３０との間の多機能ケーブルを切断してこれらを連結するコネクター２０ａ，２０ｂを設置することで、使用者の必要に応じて重さ錘２１０を容易に交替することができる。
【００４１】
また、前記撮影部２００の重さ錘２１０は、多様な形態で製作可能であり、本実施形態では、図４の(ａ)に示すような両分されたケース２１１と、図４の(ｂ)に示すような ルアー形態２１１'を提示している。
【００４２】
ここで、前記両分されたケース２１１は、その一側にヒンジ２１１ａを、その他側に固定フランジ２１１ｂを備え、それらを固定ボルト２１１ｃを通して結合したもので、前記ルアー形態２１１'は、重さ錘２１０の外部ケースがルアー形態であることを意味し、このように構成する場合は、カメラ２１２を後尾に設置することで、魚類の攻撃によりカメラが容易に破損されることを防止できる。
【００４３】
このようなケース２１１の外部には、図３に示すように、結束リング２１５及び固定溝２１６を多数個形成することで、釣り糸１０及び釣針の結束、照明手段２２０の設置を容易にしており、その内部には、水中環境を撮影するためのカメラ２１２及び制御装置２１３が内設されている。
【００４４】
前記制御装置２１３としては、超音波検知装置、デジタル温度センサ、水中マイク、圧力センサ、振動モータ、地磁気センサ、カメラ角度調節具のうちいずれか一つの装置を択一または統合付着することができ、このような構成により、使用者は、水中の温度、圧力、深さ、流速、音響、魚群の感知などを外部から確認するだけでなく、前記角度調節具によりカメラの照射角を調節することで、より綿密に水中環境を撮影することができる。
【００４５】
ここで、前記制御装置のうち、デジタル温度センサ、水中マイク、圧力センサ、振動モータ、地磁気センサは、超小型に製作された公知のものであるが、前記圧力センサ、温度センサ及び地磁気センサは、水との接触を要するだけに、重さ錘の外部に表出されるように構成することが好ましい。
【００４６】
特に、図４の(ｂ)に示すように、ルアー形態２１１'の重さ錘２１０に制御装置２１３である振動モータ２１３ｂを設置すると、振動モータ２１３ｂの駆動によりルアー形態２１１'の重さ錘２１０が水中で遊泳するので、捕獲対象である肉食魚種にとって、ルアー形態の重さ錘２１０は、生きている活魚のようであって視覚的な興味を誘発させる。
【００４７】
また、前記カメラ角度調節具は、図４(ａ)に示すように、前記重さ錘の上部側のケース両側に末端が位置するようにゲート状又はＣ型形状の固定具２１９を設置し、前記固定具２１９を駆動させる回動モータ２１８を重さ錘２１０に内蔵することで、前記外部装置部１００のコントローラ１２０を通した回動モータ２１８の回動方向の制御によって、上下または左右にカメラの照射角を調節することができる。
【００４８】
また、本発明では、水中に発生する潮流によりカメラが搖動して焦点が乱れることを防止するために、図３に示すように、前記重さ錘２１０のケース２１１内に比重差を形成するが、好ましくは、下部に高比重の物質２１４ａで充填し、中間部にカメラ２１２及び制御装置２１３を内設し、上部に空隙２１４ｂを形成することで、各部位別の比重差により、重さ錘２１０が常に水中で安定的に起立される。
【００４９】
また、図５の(ａ)及び(ｂ)に示すように、前記多機能ケーブル１０により連結された浮力調節用浮き２３０と重さ錘２１０との間に水中浮き２４０をさらに備えることで、水中での重さ錘２１０の搖動を防止する一方、重さ錘２１０の下部に形成されたリング２１８に一つ以上の補強錘２１９をぶら下げて重さ錘２１０の比重を調節することで、使用者により重さ錘２１０が入水される深さを適切に調節することもできる。
【００５０】
このような重さ錘２１０と結合される照明手段２２０は、図４のように密閉されたケース２２４内に発光体２２１ａ，２２１ｂ、乾電池２２２及びスイッチ２２３を備えており、前記発光体には、用途に応じて高輝度発光ダイオード２２１ａまたは赤外線ライト２２１ｂを択一または統合使用する。
【００５１】
前記ケース２２４は、前記重さ錘２１０のケース２１１上に形成された固定溝２１６と対応する固定孔２１５を備え、それらをボルトにより相互結合する。
【００５２】
このように構成された重さ錘２１０は、浮き２３０と本発明で提供される多機能ケーブル１０とを通して相互連結され、このとき、カメラの照射角調節及び釣針の位置調節が可能になるように、図３または図４(ａ)に示すように、前記重さ錘２１０上には、所定長さのフレキシブル管２１７ｂまたは細いワイヤー２１７ａを備える。
【００５３】
このような構成により、使用者が撮影部２００を入水させる前に、フレキシブル管２１７ｂまたは細いワイヤー２１７ａを所定角度に曲げて水中に入水させると、水中で重さ錘２１０のカメラ２１２が所定の撮影角を形成し、かつ、釣針も水中で所定の地点に位置するようになる。
【００５４】
前記撮影部と連設された外部装置部１００は、図６の(ａ)に示すように、ディスプレイパネル１１０、コントローラ１２０及び電源供給手段１３０により構成され、前記撮影部２００で撮影された映像の表示、制御装置２１３の操作及び電源供給を行うが、このとき、前記コントローラ１２０、ディスプレイパネル１１０及び電源供給手段１３０は、統合形態で製作して付着してもよく、別途に製作してそれぞれ付着使用してもよい。また、これら装置は、本実施形態のように、釣り竿に付着可能な形態で作ることで、釣りをするときに釣り竿と一体化することもでき、釣り竿と分離された別途の装備形態で作ることもできる。
【００５５】
このように釣り竿と分離して使用する場合、図６の(ｂ)に示すように、電源供給手段、ディスプレイ手段、入力手段、動映像保存システム及び制御手段を有する公知の携帯電話に前記多機能ケーブルの末端と有線で連結するためのコネクターを付加するか、または、前記撮影部の送信用浮きまたは無線送受信機と無線で映像信号などを送受信する無線送受信回路３３４を内蔵するか、もしくは、これらの両者を択一的に使用するように、これらの両者を設置することで外部装置部１００を構成し、その効率性を極大化することもできる。この場合、携帯電話から受信された水中映像は、直に無線インターネットなどの通信手段を通して他の地域に伝送することもでき、かつ、前記携帯電話型の外部装置部１００を多数個備えて、多くの人々が相異なる地域で水中映像を鑑賞することもできる。
【００５６】
また、前記電源供給手段１３０は、公知のアダプター及び乾電池を含んで構成され、このような外部装置部１００の設置形態及び電源供給手段１３０の形態は、ディスプレイと関連した分野の公知技術をそのまま適用できるので、詳細な図示及び説明を省略する。
【００５７】
このように構成された前記撮影部２００及び外部装置部１００は、その伝送方式によって、無線を使用する場合は、図５(ａ)に示すように、前記撮影部２００及び外部装置部１００に電源供給手段２３２を備えた無線送受信回路２３１を内蔵し、通常の釣り糸を通して連結された形態であり、有線を使用する場合は、前記無線を使用する場合とは異なって、無線送受信回路を内蔵せずに、本発明で提供される多機能ケーブル１０を用いて外部装置部１００と撮影部２００との間を相互連結して電流及び信号を伝送する。
【００５８】
一方、以上の各装置を少し変形すると、図６の(ｂ)に示すように、無線送受信回路(第１無線送受信回路)３３３を内蔵した別途の装置である無線送受信機を備え、これを前記有線方式の装置と類似に構成された撮影部２００の浮力調節用浮きと有線で連結した後、水の外にある 一地点、好ましくは釣り竿の一地点、もっと好ましくは釣り竿の取っ手側のいずれかの地点に固定しておき、外部装置部１００の他の装備であるコントローラ、ディスプレイパネルなどを移動・携帯型に作り、この移動型外部装置部に第２の無線送受信回路３３４を内蔵して、これらの無線送受信回路(第１、第２無線送受信回路)の間に無線で信号を送受信する無線方式の釣り装備を構成することもできる。
【００５９】
このような構成において、釣りをより効率的に実現するために、本発明では、釣り竿の前記ケーブルの開始点と、前記ケーブルが外部に排出される釣り竿の端とにそれぞれ流入孔１４１及び排出孔１４２を形成し、多機能ケーブル１０が釣り竿の内部に挿入・通過されるように構成している。このような構成により、前記ケーブル１０が釣り竿の外部に表出されて外部装置部１００及びリールなどに縺れることを防止するだけでなく、容易に携帯することができる。
【００６０】
図７は、本発明による水中映像撮影システムの一実施形態である無線送受信形態の水中映像撮影システムの全体構成を示した使用状態図であり、図８は、水中映像撮影システムのカメラ装置の全体構成を示した構造断面図であり、図７乃至図８に基づいて、本発明による水中映像撮影システムの好ましい実施形態を説明する。
【００６１】
本実施形態による水中映像撮影システムは、カメラ装置３１０、巻取りリール３２０、制御装置３１２及び浮標３３０により構成され、水中の環境を撮影する撮影部３００と、ディスプレイパネル、コントローラ及び電源供給手段により構成され、前記撮影部３００で撮影された映像を表示して前記制御装置３１２を制御する外部装置部４００と、から構成される。
【００６２】
前記撮影部３００のカメラ装置３１０は、図７に示すように、前記映像システムを備えた釣り装備の重さ錘２１０と同一に、その外部には、固定溝３１３を形成して照明装置３１４と結合させ、その内部には、水中環境を撮影するためのカメラ３１１、超音波検知装置、デジタル温度センサ、水中マイク、圧力センサ、地磁気センサまたはカメラ角度調節具３１５などの制御装置３１４を備えている。
【００６３】
このように構成されたカメラ装置３１０は、より効率的な撮影を実現するために、カメラ装置３１０の外部に固定クリップ３１７及び二眼リフレックス３１６を備えるが、前記固定クリップ３１７は、使用者が潜水装備の便利な位置に容易に着脱しながら使用するように構成され、カメラ装置３１０によって使用者が水中活動に制約を受けないようにし、前記二眼リフレックス３１６は、使用者がカメラにより水中で撮影される映像を 水中で観測することで、焦点の照準及びフレームの調整を容易にする。
【００６４】
前記二眼リフレックスは、図８に示すように、ケース３１６ａ、前記ケースを連結する回動ヒンジ３１６ｂ及び反射鏡３１６ｃにより構成され、前記ケース３１６ａは、光を進入・排出するために先端及び末端を開放した形態であって、先端と末端との間の一地点に屈曲部を形成し、その屈曲部に回動ヒンジ３１６ｂを備えて自由自在にケース３１６ａを折り曲げており、前記ケース３１６ａの屈曲部内に反射鏡３１６ｃを備え、前記ケース３１６ａ内に進入された光が所定角度に反射されてケース３１６ａの外部に排出されるように設計されている。したがって、使用者は、カメラ３１１の撮影地点を前記二眼リフレックス３１６を通して確認し、それによるカメラ３１１の焦点及びフレームを調節することができる。
【００６５】
このように構成されたカメラ装置３１０及び水面に浮揚された浮標３３０は、前記本発明で提供される多機能ケーブル１０を通して相互連結され、このとき、入水の深さによる多機能ケーブル１０の長さを容易に調節するように、前記カメラ装置３１０と浮標３３０との間に巻取りリール３２０を備えることで、入水の深さによるケーブル１０の長さを調節可能に構成する。前記巻取りリール３２０も、クリップなどにより潜水服などの装備に容易に着脱する形態にすることが好ましい。
【００６６】
前記撮影部３００と連設された外部装置部４００は、前記映像システムを備えた釣り装備の外部装置部１００と同一に構成することができ、その作用もほぼ同一であるため、本発明の明細書では、別途の図面の添付及び詳細な説明を省略する。
【００６７】
一方、前記撮影部３００で撮影した映像などの水中情報や外部装置部４００で伝達しようとする信号を相互伝送するために、伝送経路が必要であるが、本実施形態では、浮標３３０及び外部装置部４００に無線送受信のための回路を備えることで、無線方式で情報を伝達する形態を示している。
【００６８】
図１０は、電源供給手段３３２を備える無線送受信回路３３１を内蔵した浮標の構造を示した図である。
【００６９】
一方、撮影部３００及び外部装置部４００を有線で連結する場合は、以上の説明とは異なって、浮標３３０に無線送受信回路を内蔵せずに、本発明で提供される多機能ケーブル１０を用いて相互連結して電流及び信号を伝送する。
【００７０】
以上、無線送受信回路を内蔵した場合を説明したが、入水者が撮影した映像信号や水中で探知した信号のみを外部装置部４００に伝送する場合は、浮標３３０に無線送信回路を、外部装置部４００に無線受信回路を内蔵した一層単純な形態も可能であり、このような形態も、本発明の技術的範囲に属する。
【００７１】
前記無線方式を使用する場合、汎用化された無線周波数を使用してもよいが、好ましくは、２.４ＧＨｚの無線回路網を構築することで、前記２.４ＧＨｚの無線回路網で提供される多数個のチャネルを通して多数の使用者が撮影した映像を外部で同時に観察させる。
【００７２】
また、以上の実施形態は、無線送受信回路を備えた無線伝送方式による水中映像撮影システムに関して説明したが、前記のように無線送受信回路を備える代わりに、前記本発明による多機能ケーブルを用いて前記浮標と外部装置部４００とを連結し、前記ケーブルを通して信号を送受信する形態も可能である。このような有線伝送方式による場合も、無線送受信回路の具備可否を除いた他の各構成要素は、上述した無線伝送方式による水中映像撮影システムと同一の形態で適用される。
【００７３】
また、上述した映像システムを備えた釣り装備における携帯電話を用いたディスプレイ及びコントロール機能は、水中映像撮影システムにもそのまま応用される。
【００７４】
以上、本発明の多機能ケーブル及び映像システムを備えた釣り装備及び水中映像撮影システムを実施形態に基づいて説明したが、必ずこれらに限定されるのではなく、本発明の中心的な技術思想を変更しない単純な変形例も、全て本発明の技術的範囲に属する。
【産業上の利用可能性】
【００７５】
本発明による多機能ケーブルは、ケーブルの内部に映像装置及び制御装置に必要な電力、映像信号及び制御信号を伝達する柔軟性及び耐久性を兼ね備える超極細の電線により構成されており、従来の電線が容易に短絡されるか、魚により容易に識別されるという問題を防止するので、映像システムを備えた釣り装備などの多様な形態の水中映像撮影システムに有用に用いられる。
【００７６】
また、本発明による映像システムを備えた釣り装備及び水中映像撮影システムによると、より効率的な釣り及び長時間にわたる水中映像撮影が可能なだけでなく、魚類の採取のための魚群集の移動、水深・水温の測定、水中音響の聴取が可能である。
【００７７】
特に、前記水中映像撮影システムは、低価に製作可能であるため、従来の高価で重みがある製品を代替することと期待され、外部で水中映像を実時間で直接観測するため、水中で発生する可能性のある各種の安全事故を未然に防止するだけでなく、入水者が水中で感じる恐れを緩和することもできる。
【図面の簡単な説明】
【００７８】
【図１】本発明の好ましい一実施形態による多機能ケーブルの内部構造を示した断面構造図である。
【図２】本発明の好ましい一実施形態による映像システムを備えた釣り装備の全体構成を示した使用状態図である。
【図３】本発明の好ましい一実施形態による映像システムを備えた釣り装備における撮影部の重さ錘の細部構成を示した正断面図である。
【図４ａ】本発明の映像システムを備えた釣り装備における撮影部の重さ錘を示した側断面構造図である。
【図４ｂ】本発明の映像システムを備えた釣り装備における撮影部の重さ錘を示した側断面構造図である。
【図５ａ】本発明の映像システムを備えた釣り装備の撮影部の全体構成を示した断面構造図である。
【図５ｂ】本発明の映像システムを備えた釣り装備の撮影部の全体構成を示した断面構造図である。
【図６ａ】本発明の映像システムを備えた釣り装備の外部装置部の多様な構造を示した構造図である。
【図６ｂ】本発明の映像システムを備えた釣り装備の外部装置部の多様な構造を示した構造図である。
【図７】本発明による水中映像撮影システムの全体構成を示した使用状態図である。
【図８】本発明による水中映像撮影システムのカメラ装置の全体構成を示した構造断面図である。
【図９】本発明による水中映像撮影システムのカメラ装置における二眼リフレックスの側面構造を示した側断面図である。
【図１０】本発明による水中映像撮影システムの一実施形態における浮標の全体構造を示した構造断面図である。
【図１】
2005528774.tif 000004
【図２】
2005528774.tif 000005
【図３】
2005528774.tif 000006
2005528774.tif 000007
2005528774.tif 000008
2005528774.tif 000009
2005528774.tif 000010
2005528774.tif 000011
【図７】
2005528774.tif 000012
【図８】
2005528774.tif 000013
【図９】
2005528774.tif 000014
【図１０】
2005528774.tif 000015
【国際調査報告】
2005528774.tif 000016
2005528774.tif 000017